(57)【要約】    【課題】受光素子ホルダの小型化を図れる構成の光ピックアップ装置を提供する。    【解決手段】受光素子ホルダ５Ａのハウジング１の対向面に、フレキシブルプリント基板４の厚みより深い凹部５ｂを設ける。受光素子２を取付けたフレキシブルプリント基板４を受光素子ホルダ５Ａの凹部５ｂに固着する。フレキシブルプリント基板４に取付けた受光素子２を、ハウジング１に設けた収容部３Ａに収容する。フレキシブルプリント基板４を固着した受光素子ホルダ５Ａの凹部５ｂの両側の突出部分５ｃを、ハウジング１の側面に接着する。この取付け構造により、フレキシブルプリント基板４とハウジング１との当接を回避し、受光素子ホルダ５Ａを小型化する。【選択図】図４
2005115985.tif 000002
【特許請求の範囲】
【請求項１】
受光素子ホルダを光ピックアップ装置のハウジングの側面に固着してなる光ピックアップ装置であって、
受光素子ホルダのハウジング対向面に、フレキシブルプリント基板の厚みより深い凹部を設け、
受光素子を取付けたフレキシブルプリント基板を前記受光素子ホルダの凹部に固着し、
前記フレキシブルプリント基板に取付けた受光素子を、前記ハウジングに設けた収容部に収容すると共に、
前記フレキシブルプリント基板を固着した受光素子ホルダの前記凹部の両側の突出部分を、前記ハウジングの側面に接着することにより、前記受光素子ホルダを前記ハウジングに取付けたことを特徴とする光ピックアップ装置。
【請求項２】
請求項１に記載の光ピックアップ装置において、
前記フレキシブルプリント基板の両側縁を、前記ハウジングの側面に対面させたことを特徴とする光ピックアップ装置。
【発明の詳細な説明】
【技術分野】
【０００１】
本発明は、光記録再生装置または光再生装置の光ピックアップ装置に係わり、より詳しくはその受光素子ホルダの取付け構造に関する。
【背景技術】
【０００２】
光記録再生装置または光再生装置においては、光ディスクから反射されたレーザー光を受光する素子をフレキシブルプリント基板に取付け、そのフレキシブルプリント基板を受光素子ホルダの片面に固着し、その受光素子ホルダを、ハウジングの側面に固着して取付けた構成を有している（例えば特許文献１参照）。このような光記録再生装置においては、一般的に、図５に示すような構造で受光素子が取付けられる。
【０００３】
図５において、１はハウジングであり、円盤状の光ディスクを用いる場合には、駆動機構により、光ディスクの半径方向に移動自在に支持され、駆動されるものである。該ハウジングの側面には、外方に突出した台１ａ、１ａ間に受光素子２を収容する収容部３が設けられ、受光素子２は、検出信号を外部またはハウジング１に搭載した回路に導くフレキシブルプリント基板４の端部に取付けられ、該フレキシブルプリント基板４は受光素子ホルダ５のハウジング対向面に固着され、該受光素子ホルダ５をハウジング１の側面に接着剤６により固着して取付けられる。
【０００４】
【特許文献１】特開平９−３２００８７公報
【発明の開示】
【発明が解決しようとする課題】
【０００５】
上述の従来の光ピックアップ装置において、受光素子ホルダ５を取付ける場合、受光素子２が好適な受光位置に固定されるようにするため、受光素子ホルダ５を不図示の治具により保持しておき、受光素子２により検出されるレーザ光を測定することによって受光素子２の位置の適否を判定し、好適位置になったところで接着剤６により固着する。
【０００６】
このような位置調整を行う場合、受光素子２より幅広のフレキシブルプリント基板４を位置調整のために矢印Ｘ方向に最大限に動かしても、フレキシブルプリント基板４の側縁が受光素子収容のための収容部３の壁面３ｘに当接しないようにするため、フレキシブルプリント基板４の側縁と前記壁面３ｘとの間に間隔Ｓを設けている。このため、収容部３を広幅に設定する必要があり、これに伴い、受光素子ホルダ５も大きくなり、小型化を阻害するという問題点がある。
【０００７】
本発明は、上記問題点に鑑み、受光素子ホルダの小型化を図れる構成の光ピックアップ装置を提供することを目的とする。
【課題を解決するための手段】
【０００８】
（１）本発明の光ピックアップ装置は、受光素子ホルダを光ピックアップ装置のハウジングの側面に固着してなる光ピックアップ装置であって、
受光素子ホルダのハウジング対向面に、フレキシブルプリント基板の厚みより深い凹部を設け、
受光素子を取付けたフレキシブルプリント基板を前記受光素子ホルダの凹部に固着し、
前記フレキシブルプリント基板に取付けた受光素子を、前記ハウジングに設けた収容部に収容すると共に、
前記フレキシブルプリント基板を固着した受光素子ホルダの前記凹部の両側の突出部分を、前記ハウジングの側面に接着することにより、前記受光素子ホルダを前記ハウジングに取付けたことを特徴とする。
【０００９】
（２）また、本発明の光ピックアップ装置は、前記（１）において、
前記フレキシブルプリント基板の両側縁を、前記ハウジングの側面に対面させたことを特徴とする。
【発明の効果】
【００１０】
本発明の光ピックアップ装置は、受光素子ホルダのハウジング対向面に、フレキシブルプリント基板の厚みより深い凹部を設け、その凹部に、受光素子を取付けたフレキシブルプリント基板を固着したので、受光素子ホルダの位置を調整して取付ける際に、フレキシブルプリント基板の両側縁がハウジングの収容部の側壁に当接するおそれがなくなり、収容部の幅を小さくすることができる。このように、受光素子収容のための収容部を小さい幅に形成できるので、これに伴い、受光素子ホルダを小型化することができる。
【００１１】
また、フレキシブルプリント基板の幅の制約が緩和されるので、フレキシブルプリント基板としてサイズの大きいものを用いることができ、フレキシブルプリント基板内の配線間のクロストークを低減することができる。
【００１２】
また、受光素子を収容する収容部を小さくすることができ、その分、その両側の受光素子ホルダの取付け面を広く確保することができるため、接着強度を高めることができる。
【００１３】
本発明において、特にフレキシブルプリント基板の両側縁を受光素子ホルダの凹部とハウジング側面との間の隙間に挿入した状態で取付けることにより、前記効果が助長される。
【発明を実施するための最良の形態】
【００１４】
図１は本発明による光ピックアップ装置の一実施の形態を示すブロック図であり、本実施の形態はＣＤ用、ＤＶＤ用に兼用されるものについて示している。９、１０はレーザー素子であり、一方がＣＤ用、他方がＤＶＤ用である。１１、１２は回折格子、１３はレーザー素子９、１０からのレーザ光を１つの光学系で兼用するためのプリズム、１４は光ディスク１５からの反射光を受光素子２に反射させるためのプリズム、１６は対物レンズ１７へのレーザ光を平行化するためのレンズ、１９は波長選択フィルタ、２０は非点収差を発生させるシリンドリカルレンズである。
【００１５】
図２は本発明の光ピックアップ装置の一実施の形態を示す斜視図であり、１はハウジング、２１、２２は光ディスクの半径方向に設けられる不図示のガイド軸に沿ってハウジング１を移動自在に装着するガイド軸装着部である。また、１７は前記対物レンズ、２３は前記対物レンズ１７をフォーカス方向、トラッキング方向に駆動するための駆動装置であり、該駆動装置２３はハウジング１に搭載される。５Ａは本発明による受光素子ホルダであり、該受光素子ホルダ５Ａはハウジング１の側面に固着して取付けられる。ハウジング１には、ハウジング１内の回路を不図示のフレキシブルプリント基板を介して外部回路に電気的に接続するためのコネクタ２４が取付けられる。
【００１６】
図３は本発明による受光素子ホルダ５Ａの一例をハウジング1側から見た斜視図、図４は該受光素子ホルダ５Ａをハウジング１の側面に取付けた状態を示す平面図であり、図５と同じ符号は同じ機能を発揮するものを示す。受光素子ホルダ５Ａは例えばアルミニウムなどの金属のプレス成形品でなり、そのハウジング対向面に、フレキシブルプリント基板４の厚みより深い凹部５ｂを設ける。そして該凹部５ｂに、受光素子２を端部に取付けたフレキシブルプリント基板４を、好ましくは熱圧着により固着する。このように熱圧着が接着に比較して好ましい理由は、接着剤による固着の場合には、接続剤が厚みを持ち、固着後に変形などにより受光素子２の位置に変化が起こるおそれがあり、一方、熱圧着の場合には、そのような事態が起こりにくいためである。フレキシブルプリント基板４は、前記コネクタ２４またはハウジング１に搭載する回路に接続される。
【００１７】
前記受光素子ホルダ５Ａの取付けの際には、受光素子ホルダ５Ａに設けた孔５ｄに不図示の治具の突起を挿入してセットし、レーザー素子９、１０の一方を駆動して受光素子２で受光させ、その受光状態により、受光素子ホルダ５Ａの好適な取付け位置を決定して接着剤６によりハウジング１の側面に受光素子ホルダ５Ａを固着する。他方のレーザー素子は、その受光素子位置に合わせて調整される。
【００１８】
この場合、前記フレキシブルプリント基板４に取付けた受光素子２を、前記ハウジング１に設けた収容部３Ａに収容すると共に、前記フレキシブルプリント基板４を固着した受光素子ホルダ５Ａの前記凹部５ｂの両側の突出部分５ｃ、５ｃを、前記ハウジングの側面に突出させて形成した台１ａ、１ａに接着剤６により接着する。
【００１９】
このような構造で受光素子ホルダ５Ａをハウジング１の側面に取付けることにより、前記フレキシブルプリント基板４の前記ハウジング１の収容部３Ａの壁面３ｘに当接させることなく取付けることができる。このような取付け構造によれば、受光素子２を収容するための収容部３Ａを小さい幅に形成できるので、これに伴い、受光素子ホルダ５Ａを小型化することができる。
【００２０】
また、フレキシブルプリント基板４の幅の制約が緩和されるので、サイズが大きく、内部配線間の間隔が大きいフレキシブルプリント基板４を用いることができ、フレキシブルプリント基板４内の配線間のクロストークを低減することができる。
【００２１】
また、受光素子２を収容する収容部３Ａを小さくすることができ、その分、その両側の受光素子ホルダ５Ａの取付け面を広く確保することができるため、接着強度を高めることができる。
【００２２】
また、本実施の形態のように、フレキシブルプリント基板４の両側縁を受光素子ホルダ５Ａの凹部５ｂとハウジング１の側面との間の隙間に挿入し、フレキシブルプリント基板４の両側縁をハウジング１の側面に対面させた状態で取付けることによって、小型化、クロストークの低減、受光素子ホルダ５Ａの取付け強度の増大の効果が助長される。
【００２３】
なお、本発明を実施する場合、受光素子ホルダ５Ａを接着するハウジング１の取付け面は、必ずしもハウジング側面より突出した台１ａ、１ａにより形成する必要はない。
【図面の簡単な説明】
【００２４】
【図１】本発明による光ピックアップ装置の一実施の形態を示すブロック図である。
【図２】本発明による光ピックアップ装置の一実施の形態を示す斜視図である。
【図３】本発明の光ピックアップ装置に用いる受光素子ホルダの一例を、ハウジング側から見た斜視図である。
【図４】本発明の受光素子ホルダの取付け構造の一例を示す平面図である。
【図５】従来の光ピックアップ装置における受光素子ホルダの取付け構造を示す平面図である。
【符号の説明】
【００２５】
１：ハウジング、１ａ：台、２：受光素子、３Ａ：収容部、３ｘ：壁面、４：フレキシブルプリント基板、５Ａ：受光素子ホルダ、５ｂ：凹部、５ｃ：突出部分、５ｄ：治具にセットする孔、５ｄ：突出部分、６：接続剤、９、１０：レーザー素子、１１、１２：回折格子、１３、１４：プリズム、１５：レンズ、１７：対物レンズ
【図１】
2005115985.tif 000003
【図２】
2005115985.tif 000004
【図３】
2005115985.tif 000005
【図４】
2005115985.tif 000006
【図５】
2005115985.tif 000007